(57)【要約】【課題】コンテンツ再生装置の各種設定を迅速に行えることができるコンテンツ再生システム、およびコンピュータプログラムを実現する。【解決手段】複数のレシーバ装置３０が、ネットワーク２０で繋がれた構成のコンテンツ再生システムにおいて、各レシーバ装置３０に接続されているスピーカの音量、出力タイミング、周波数特性などの動作パラメータを１つのレシーバ装置３０を操作して、ネットワーク２０を介して他のレシーバ装置３０に指示を与えることで行わせる。【選択図】図１
2007271802.tif 000002
【特許請求の範囲】
【請求項１】
コンテンツを再生する複数のコンテンツ再生装置がネットワークを介して接続されて構成されるコンテンツ再生システムにおいて、
少なくとも２つの前記コンテンツ再生装置は、それぞれ、
コンテンツを再生する再生手段と、
他のコンテンツ再生装置の何れかを指定する装置指定手段と、
前記装置指定手段で指定したコンテンツ再生装置に、該コンテンツ再生装置の設定を行う指示を前記ネットワークを介して送信する設定開始指示手段と、
他の何れかのコンテンツ再生装置の前記設定開始指示手段から送信された指示に従って、このコンテンツ再生装置の再生手段の再生環境の設定を行う設定手段と、
を備えることを特徴とする、コンテンツ再生システム。  
【請求項２】
前記再生手段は、複数のスピーカに接続されており、
前記設定手段は、所定の聴取位置で所定の音場が得られるように、前記再生手段の各スピーカ用の再生環境を設定する音場設定手段を備える、
ことを特徴とする、請求項１に記載のコンテンツ再生システム。
【請求項３】
前記設定開始指示手段は、前記装置指定手段で指定したコンテンツ再生装置に、該コンテンツ再生装置の設定内容を定義する設定情報と該設定情報に基づいて設定を行う旨の指示とを送信する手段を備え、
前記設定手段は、他の何れかのコンテンツ再生装置の前記設定開始指示手段から送信された指示に応答して、受信した設定情報に基づいて、このコンテンツ再生装置の再生手段の再生環境を設定する、
ことを特徴とする、請求項１又は２に記載のコンテンツ再生システム。
【請求項４】
前記コンテンツ再生装置は、
前記再生手段の再生環境の設定情報を複数記憶する設定情報記憶手段を更に備え、
前記設定開始指示手段は、指示先のコンテンツ再生装置の前記設定情報記憶手段に記憶されている複数の設定情報の何れかを指定する設定情報指定情報と該設定情報指定情報で特定される設定情報に基づいた設定を行う旨の指示とを前記ネットワークを介して送信する手段を備え、
前記設定手段は、他の何れかのコンテンツ再生装置の前記設定開始指示手段から送信された、設定情報指定情報と指示とを受信したときに、前記設定情報記憶手段に記憶されている複数の設定情報のうちで、受信した設定情報指定情報で特定される設定情報に従って設定を行う、
ことを特徴とする、請求項３に記載のコンテンツ再生システム。
【請求項５】
ネットワークを介して他のコンテンツ再生装置にされたコンテンツ再生装置のプロセッサを、
コンテンツを再生する再生手段、
他のコンテンツ再生装置の何れかを指定する装置指定手段、
前記装置指定手段で指定したコンテンツ再生装置に、該コンテンツ再生装置の設定を行う指示を前記ネットワークを介して送信する設定開始指示手段、
他の何れかのコンテンツ再生装置の前記設定開始指示手段から送信された指示に従って、このコンテンツ再生装置の再生手段の再生環境の設定を行う設定手段、
として機能させるコンピュータプログラム。  
【発明の詳細な説明】
【技術分野】
【０００１】
本発明は、コンテンツ再生システム及びコンピュータプログラムに関する。
【背景技術】
【０００２】
映像や音楽等のコンテンツを提供するサーバ装置と、そのコンテンツを受信して再生する複数のコンテンツ再生装置（レシーバ装置、ＤＶＤプレーヤ等）とが、ネットワークで接続された構成のＡＶ（オーディオビジュアル）システムがある（特許文献１参照）。
【０００３】
上記ＡＶシステムを構成する各コンテンツ再生装置には、一般的に各種の設定を行う必要がある。例えば、コンテンツ再生装置が多チャンネルの音声出力が可能であり、複数のスピーカに接続されている場合、最適な音響再生環境をユーザに提供するために、スピーカの出力や距離感を調節するといった設定をスピーカ毎に行う必要がある。
【０００４】
また、上記の設定を自動で行う技術が特許文献２に開示されている。
【特許文献１】特開２００５−３１４９４号公報
【特許文献２】特開２００４−１５９０３７号公報
【発明の開示】
【発明が解決しようとする課題】
【０００５】
しかし、特許文献２に開示されている技術を用いて、コンテンツ再生装置の設定を行う場合、設定対象のコンテンツ再生装置が配置されている場所にユーザが移動して、設定を行うための指示をコンテンツ再生装置毎に行わなければならない。そのため、コンテンツ再生装置の設定処理が煩雑でまた時間がかかってしまうという問題を有する。
【０００６】
本発明は上記問題に鑑みてなされたもので、コンテンツ再生装置の音響設定等の再生環境の設定を簡単・迅速に行うことが可能なコンテンツ再生システムを提供することを目的とする。
【課題を解決するための手段】
【０００７】
上記目的を達成するため、本発明の第１の観点に係るコンテンツ再生システムは、
コンテンツを再生する複数のコンテンツ再生装置がネットワークを介して接続されて構成されるコンテンツ再生システムにおいて、
少なくとも２つの前記コンテンツ再生装置は、それぞれ、
コンテンツを再生する再生手段と、
他のコンテンツ再生装置の何れかを指定する装置指定手段と、
前記装置指定手段で指定したコンテンツ再生装置に、該コンテンツ再生装置の設定を行う指示を前記ネットワークを介して送信する設定開始指示手段と、
他の何れかのコンテンツ再生装置の前記設定開始指示手段から送信された指示に従って、このコンテンツ再生装置の再生手段の再生環境の設定を行う設定手段と、
を備えることを特徴とする。
【０００８】
前記再生手段は、複数のスピーカに接続されており、
前記設定手段は、所定の聴取位置で所定の音場が得られるように、前記再生手段の各スピーカ用の再生環境を設定する音場設定手段を備えていてもよい。
【０００９】
前記設定開始指示手段は、前記装置指定手段で指定したコンテンツ再生装置に、該コンテンツ再生装置の設定内容を定義する設定情報と該設定情報に基づいて設定を行う旨の指示とを送信する手段を備え、
前記設定手段は、他の何れかのコンテンツ再生装置の前記設定開始指示手段から送信された指示に応答して、受信した設定情報に基づいて、このコンテンツ再生装置の再生手段の再生環境を設定してもよい。
【００１０】
前記コンテンツ再生装置は、
前記再生手段の再生環境の設定情報を複数記憶する設定情報記憶手段を更に備え、
前記設定開始指示手段は、指示先のコンテンツ再生装置の前記設定情報記憶手段に記憶されている複数の設定情報の何れかを指定する設定情報指定情報と該設定情報指定情報で特定される設定情報に基づいた設定を行う旨の指示とを前記ネットワークを介して送信する手段を備え、
前記設定手段は、他の何れかのコンテンツ再生装置の前記設定開始指示手段から送信された、設定情報指定情報と指示とを受信したときに、前記設定情報記憶手段に記憶されている複数の設定情報のうちで、受信した設定情報指定情報で特定される設定情報に従って設定を行ってもよい。
【００１１】
上記目的を達成するため、本発明の第２の観点に係るコンピュータプログラムは、
ネットワークを介して他のコンテンツ再生装置にされたコンテンツ再生装置のプロセッサを、
コンテンツを再生する再生手段、
他のコンテンツ再生装置の何れかを指定する装置指定手段、
前記装置指定手段で指定したコンテンツ再生装置に、該コンテンツ再生装置の設定を行う指示を前記ネットワークを介して送信する設定開始指示手段、
他の何れかのコンテンツ再生装置の前記設定開始指示手段から送信された指示に従って、このコンテンツ再生装置の再生手段の再生環境の設定を行う設定手段、
として機能させる。
【発明の効果】
【００１２】
本発明によれば、コンテンツ再生システムを構成するコンテンツ再生装置の各種設定を迅速に行うことが可能になる。
【発明を実施するための最良の形態】
【００１３】
以下、本発明の実施の形態に係るオーディオ（Audio)システムを図面を参照して説明する。
本実施形態に係るオーディオシステム１は、図１に示すように、部屋Ａ、Ｂ、Ｃ、…にそれぞれ配置される複数のレシーバ装置３０Ａ，３０Ｂ、３０Ｃ（以下総称して、レシーバ装置３０）と、サーバ装置１０と、ＬＡＮ（Local Area Network）２０と、から構成される。図１には３台のレシーバ装置３０が図示されているが、オーディオシステム１では、レシーバ装置３０の台数に制限はない。
【００１４】
サーバ装置１０は、ハードディスク装置等の記憶装置を備え、レシーバ装置３０からの要求に応じて、記憶装置に記憶されているコンテンツデータを、ＬＡＮ２０を介して要求元のレシーバ装置３０に供給する。
【００１５】
ＬＡＮ２０は、Ｅｔｈｅｒｎｅｔ（商標登録）等から構成され、サーバ装置１０と複数のレシーバ装置３０との間のデータの授受を媒介する。
【００１６】
レシーバ装置３０は、サーバ装置１０からＬＡＮ２０を介して送信されたコンテンツデータを受信する。そして、レシーバ装置３０は受信したコンテンツデータ（オーディオデータ）をレシーバ装置３０に接続されているスピーカから音声出力する。
【００１７】
レシーバ装置３０は、５．１サラウンドの音声出力に対応しており、図２に示すように６つのスピーカＳＰ１〜ＳＰ６が接続されている。レシーバ装置３０は、５．１チャンネルのマルチコンテンツを再生する場合、スピーカＳＰ１〜ＳＰ６からそれぞれ別々に制御されたオーディオ信号を出力し、それにより臨場感のある音響の聴取が可能な音響再生環境がユーザに提供される。スピーカＳＰ１〜ＳＰ６はそれぞれフロントレフトスピーカ（ＦＬ）、サブウーハ（ＳＷ）、センタスピーカ（Ｃ）、フロントライトスピーカ（ＦＲ）、レフトサラウンドスピーカ（ＬＳ）と、ライトサラウンドスピーカ（ＲＳ）となる。
【００１８】
また、レシーバ装置３０は、後述する音場補正処理機能を有する。音場補正を行う際には、図２に示すように、テスト信号（音声）を受信するためのマイクＭＩＣが必要に応じてレシーバ装置３０に接続される。マイクＭＩＣはユーザの聴取位置（リスニングポジション）に配置される。
【００１９】
レシーバ装置３０は、図３に示すように、操作部３０１と、表示部３０２と、ＲＡＭ（Random Access Memory)３０３と、ＲＯＭ(Read Only Memory)３０４と、通信部３０５と、制御部３０６と、マイクアンプ部３０７と、ＤＳＰ（Digital Signal Processor）３０８と、スピーカアンプ部３０９と、テスト信号発生部３１０と、から構成される。
【００２０】
操作部３０１は、リモートコントローラなどの操作入力キーを用いたユーザの操作信号の入力を受け付け、入力された操作信号に対応するデータを制御部３０６に供給する。
【００２１】
表示部３０２は、液晶表示パネル等から構成され、制御部３０６から供給される表示用データに従って、レシーバ装置３０の動作状況を示すメッセージ、図表等を表示する。
【００２２】
ＲＡＭ３０３は、制御部３０６が処理を行うためのワークスペースとなる。
また、ＲＡＭ３０３には、スピーカＳＰ１〜ＳＰ６の動作パラメータが格納されている。各スピーカＳＰ１〜ＳＰ６には、この動作パラメータに従った動作特性で、オーディオ信号が供給される。
【００２３】
図４に動作パラメータの一例を示す。この例では、スピーカ毎に、動作パラメータとして、接続の有無、音量レベル（ボリューム）、距離感（遅延時間）、スピーカサイズ、周波数特定が設定される。接続の有無は、該当するスピーカが接続されているか否かを示す。音量レベル（ボリューム）は、各スピーカに供給するオーディオ信号の音量レベルを示す。換言すれば、各オーディオ信号の増幅率を示す信号でもある。距離感は、各スピーカの出力タイミングを調整するための内部遅延時間を制御するためのパラメータである。スピーカサイズは、大・中・小など、スピーカのサイズを指定するパラメータである。周波数特定は、所謂イコライザーに相当し、どの周波数帯域を強調し、どの周波数帯域を弱めるか等を設定するデータである。
【００２４】
また、ＲＡＭ３０３には、後述する音場補正処理で、スピーカＳＰ１〜ＳＰ６を切り換えるためのカウンタiが格納される。
【００２５】
ＲＯＭ３０４は、制御部３０６が処理を行うためのプログラムを記憶する。具体的な処理の内容については後述する。
【００２６】
通信部３０５は、ＬＡＮ２０に接続され、サーバ装置１０および他のレシーバ装置３０との間でデータの授受を行う。
【００２７】
制御部３０６は、レシーバ装置３０全体の動作を制御する。制御部３０６は、ＲＯＭ３０４に格納されているプログラムに従って動作する。制御部３０６が実行する動作の詳細については、後述する。
【００２８】
マイクアンプ部３０７は、マイクアンプ部３０７に接続されたマイクＭＩＣからの収音信号をＡ／Ｄ変換し、増幅する。そして、マイクアンプ部３０７は、ディジタル増幅した収音信号を後述するＤＳＰ３０８に送信する。
【００２９】
ＤＳＰ３０８は、ＤＳＰ３０８に供給される音声信号に対して、種々の処理を行う。ＤＳＰ３０８は、例えば、マルチチャンネル方式にエンコードされた音声信号をデコードして、各音声チャンネルの音声信号に分ける処理を行う。また、ＤＳＰ３０８は、後述する音場補正処理において、音量レベルの調整、スピーカとリスニングポジションとの間の距離間の調整、周波数特性の調整など種々の調整処理を行う。
【００３０】
スピーカアンプ部３０９は、ＤＳＰ３０８から入力された音声データをＤ／Ａ変換によりアナログ信号に変換して増幅する。そして、スピーカアンプ部３０９は、アナログ増幅した信号から音声信号を抽出してスピーカに供給する。スピーカアンプ部３０９には、６つのスピーカＳＰ１〜ＳＰ６が接続される。
【００３１】
テスト信号発生部３１０は、制御部３０６からの制御に応じて、後述する音場補正処理の際、テスト信号をＤＳＰ３０８に供給する。
【００３２】
次に、上記構成のオーディオシステム１の動作を、ユーザが部屋Ａのレシーバ装置３０Ａから、部屋Ｂに配置されているレシーバ装置３０Ｂに指示し、レシーバ装置３０Ｂがそれに接続されているスピーカＳＰ１〜ＳＰ６の設定値（動作パラメータ値）を調整する処理（音場補正処理）を行う動作について、図５のフローチャートを参照して説明する。
【００３３】
まず、ユーザは、リモコン等を操作して、レシーバ装置３０Ａに音場補正処理を開始すること及び対象がレシーバ装置３０Ｂであることを指示する。操作部３０１はこの指示を検出し、制御部３０６に通知する。
制御部３０６は、この通知に応答して、図５（ａ）に示す処理を開始する。
【００３４】
まず、レシーバ装置３０Ａの制御部３０６は、ＬＡＮ２０を介して、レシーバ装置３０Ｂと通信を行うことにより、レシーバＢの有無（電源のオン・オフも含む）を判断する（ステップＳ１１）。ステップＳ１１で、レシーバ装置３０Ｂが接続されており、且つ、アクティブ状態にあると判断した場合（ステップＳ１１；Ｙｅｓ）、音場補正を開始することを表す信号（音場補正開始指示信号）をレシーバ装置３０Ｂに通信部３０５から送信する（ステップＳ１２）。
なお、ステップＳ１１で、レシーバ装置３０Ｂが接続されていない又は動作ができないと判断した場合（ステップＳ１１；Ｎｏ）は、制御部３０６はエラーメッセージを表示部３０２に表示させて（ステップＳ１３）、処理を終了する。
【００３５】
部屋Ｂのレシーバ装置３０Ｂの制御部３０６は、音場補正開始指示信号を通信部３０５を介して受信すると、これを解析して、本場補正開始の指示であることを判別し、図５（ｂ）のフローに示す処理を開始し、まず、音場補正処理を行う（ステップＳ２１）。
【００３６】
図６に、音場補正処理の詳細を示す。まず、レシーバ装置３０Ｂの制御部３０６は、スピーカを特定するためのカウンタｉの初期化を行い、カウンタｉに１を設定する（ステップＳ２１０１）。
【００３７】
次に、制御部３０６は、レシーバ装置３０Ｂのカウンタｉに対応したスピーカＳＰｉから、所定の出力信号（オーディオ信号）を発生させるようにテスト信号発生部３１０に指示する（ステップＳ２１０２）。
【００３８】
テスト信号発生部３１０は、上述の指示を受けてテスト信号を発生させ、これをＤＳＰ３０８に供給する。ＤＳＰ３０８は、制御部３０６の制御に応じて、スピーカＳＰｉからテスト信号を発生させるように、スピーカアンプ部３０９にテスト信号を供給する。スピーカアンプ部３０９は、テスト信号をＤ／Ａ変換、増幅し、スピーカＳＰｉからテスト信号を放音する。
【００３９】
放音されたテスト信号は、聴取位置にあらかじめ配置されているマイクＭＩＣによって収音され、マイクアンプ部３０７を介して、ＤＳＰ３０８に供給される。ＤＳＰ３０８は、この信号をＡ／Ｄ変換し、その信号レベルを判別して、制御部３０６に通知する。制御部３０６は、通知された信号レベルが、所定の検出レベル以下である場合（ステップＳ２１０３；Ｎｏ）は、スピーカＳＰｉがレシーバ装置３０に接続されていないものと判断して、ＲＡＭ３０３に格納されているスピーカＳＰｉの動作パラメータに「スピーカ無し」を設定する（ステップＳ２１０６）。
一方、収音された信号が、所定の検出レベルより大きい場合（ステップＳ２１０３；Ｙｅｓ）は、スピーカＳＰｉが接続されているものと判断して、ＲＡＭ３０３に格納されているスピーカＳＰｉの動作パラメータとして「スピーカ有り」を設定する（ステップＳ２１０５）。さらに、マイクＭＩＣで収音するレベルが所定の大きさになるようにＲＡＭ３０３に格納されているスピーカＳＰｉの動作パラメータ（増幅率、ボリューム等）を設定する（ステップＳ２１０７）。
【００４０】
次に、制御部３０６は、カウンタｉが６以外の場合、（ステップＳ２１０８；Ｎｏ）、カウンタｉを１つインクリメントして（ステップＳ２１０４）、ステップＳ２１０２からの処理を再度行う。カウンタ値ｉの値が６の場合は（ステップＳ２１０８；Ｙｅｓ）、全てのスピーカＳＰ１〜ＳＰ６についての処理が終了したので、ステップＳ２１０９の処理に進む。
【００４１】
ステップＳ２１０９において、制御部３０６は、ＤＳＰ３０８を制御して、スピーカＳＰ１〜ＳＰ６の聴取位置と各スピーカとの間の距離感の設定を行う。具体的には、ＤＳＰ３０８は先ほどと同様にテスト信号を各スピーカから順次に放音させる。そして、スピーカからマイクＭＩＣへの音の到達時間を計測し、これを調整パラメータとしてＤＳＰ３０８に供給する。そして、ＤＳＰ３０８は、そのパラメータから、スピーカから放音される音声の距離感がマイクＭＩＣが配置されている場所で予め定められている最適な状態になるように、ＲＡＭ３０３に、各スピーカＳＰ１〜ＳＰ６の動作パラメータ（例えば、遅延時間）を設定する。
【００４２】
次に、制御部３０６は、ＤＳＰ３０８にスピーカのサイズの判定を行う（ステップＳ２１１０）。具体的には、ＤＳＰ３０８は、低い周波数のテスト信号を各スピーカから順次に放音させて、それをマイクＭＩＣで収音し、検出したレベルによって、各スピーカのサイズ（大／小）を判別してそれに基づいて、ＲＡＭ３０３に各スピーカＳＰ１〜ＳＰ６の動作パラメータ（例えば、スピーカサイズ）を設定する。
【００４３】
次に、制御部３０６は、ＤＳＰ３０８に周波数特性の補正を行うように指令する（ステップＳ２１１１）。ＤＳＰ３０８は、高音域、中音域、低音域の各音域のテスト信号をスピーカＳＰ１〜ＳＰ６から順次に放音させ、その周波数特性を測定し、ステップＳ２１１０で設定したスピーカサイズも考慮に入れて、最適な周波数特性を示すようにＲＡＭ３０３に、各スピーカＳＰ１〜ＳＰ６の動作パラメータを設定する。
以上で音場補正処理は終了する。
【００４４】
以上のような音場補正処理により、聴取位置（マイクＭＩＣが配置されている場所）において、最適な音場となるように、スピーカＳＰ１〜ＳＰ６の各種動作パラメータが設定される。
【００４５】
図５に戻り、音場補正処理が終了すると、レシーバ装置３０Ｂの制御部３０６は音場補正が終了したことを表す信号（音場所補正終了信号）を通信部３０５からレシーバ装置３０Ａに送信し（ステップＳ２２）、レシーバ装置３０Ｂの処理は終了する。
【００４６】
レシーバ装置３０Ａの制御部３０６は、音場補正開始信号を送信したレシーバ装置３０Ｂから、通信部３０５を介して、音場補正が終了したことを表す信号（音場補正終了信号）を受信（ステップＳ１４）すると、ステップＳ１５の処理に進む。
ステップＳ１５において、レシーバ装置３０Ａの制御部３０６は表示部３０２に音場補正が完了したことを表すメッセージを表示させ（ステップＳ１５）、レシーバ装置３０Ａでの処理は終了する。
【００４７】
以上説明したように、ユーザは部屋Ａに配置されているレシーバ装置３０Ａから、部屋Ｂのレシーバ装置３０Ｂの音場補正を行うことができ、ユーザは比較的短かい時間で容易に各部屋の音場補正を実施することができる。
【００４８】
なお、本発明は、上記実施の形態で示したものに限定されず、様々な変形および応用が可能である。
【００４９】
例えば、自動音場補正機能を備えていないレシーバ装置が上記オーディオシステムのコンテンツ再生装置として組み込まれた場合でも、図７に示すフローチャートに示すような処理を行うことで、そのレシーバ装置が配置されている部屋の音場補正を行うようにすることができる。
以下、部屋Ｄに設置された自動音場補正機能を備えていないレシーバ装置３０Ｄの再生環境の設定を行う場合を例に、図７に示す音場補正処理を説明する。
【００５０】
まず、ユーザは、部屋Ｄのレシーバ３０Ｄに、音場補正用のマイクＭＩＣを聴取位置に接続する。また、レシーバ装置３０Ｄはレシーバ装置３０Ａとネットワークを介して繋がるものとする。また、レシーバ装置３０Ｄは、接続されているスピーカＳＰ１〜ＳＰ６の設定値を調整する機能は持たないものとする。なお、レシーバ装置３０Ｄの構成は、図２に示す構成と同一の構成であり、同一の符号を用いて以下説明を行う。
【００５１】
続いて、ユーザは、部屋Ａに移り、リモコン等を操作して、レシーバ装置３０Ａに音場補正処理を開始すること及び対象がレシーバ装置３０Ｄであるこを指示する。操作部３０１はこの指示を検出し、制御部３０６に通知する。
制御部３０６は、この通知に応答して、図７（ａ）に示す処理を開始する。
【００５２】
まず、レシーバ装置３０Ａの制御部３０６は、レシーバ装置３０Ｄの有無（電源のオン・オフも含む）を判断する（ステップＳ３１）。そして、ステップＳ３１でレシーバ装置３０Ｄが存在し、且つ、アクティブ状態にあると判断した場合（ステップＳ３１；Ｙｅｓ）、レシーバ装置３０Ｄに、音場補正を開始することを指示する信号（音場補正開始信号）を通信部３０５から送信する（ステップＳ３３）。
なお、ステップＳ３１で、レシーバ装置３０Ｄが無い又は動作ができないと判断した場合（ステップＳ３１；Ｎｏ）は、制御部３０６はエラーメッセージを表示部３０２に表示させて（ステップＳ３２）、処理を終了する。
【００５３】
部屋Ｄのレシーバ装置３０Ｄの制御部３０６は、音場補正開始指示信号を通信部３０５を介して受信すると、これを解析して、本場補正開始の指示であることを判別し、図７（ｂ）のフローに示す処理を開始する。
まず、制御部３０６は、テスト信号をスピーカＳＰ１〜ＳＰ６へと順次に放音して、各スピーカチェンネルの識別情報と放音信号とマイクＭＩＣからの収音信号とを対応付けて、ＲＡＭ３０３に記憶する（ステップＳ４１）。そして、全てのスピーカで上記の測定が完了した後、ステップＳ４１でＲＡＭ３０３に記憶したスピーカの情報を、レシーバ装置３０Ａに送信する（ステップＳ４２）。
【００５４】
レシーバ装置３０Ａにおいて、送信されたスピーカ情報を受信し（ステップＳ３４）、そのスピーカ情報に基づいて音場補正を実施し、スピーカの動作パラメータをＲＡＭ３０３に記憶する（ステップＳ３５）。そして、制御部３０６は、ＲＡＭ３０３に格納されている動作パラメータを通信部３０５からレシーバ装置に送信する（ステップＳ３６）。
【００５５】
レシーバ装置３０Ｄにおいて、スピーカの動作パラメータを通信部３０５より受信し（ステップＳ４３）、その調整パラメータを接続されているスピーカに設定することで（ステップＳ４４）、音場補正が行われる。音場補正が行われた後は、そのことを示す情報（音場補正完了信号）をレシーバ装置３０Ａに送信し（ステップＳ４５）、レシーバ装置３０Ｄでの処理は完了する。
【００５６】
レシーバ装置３０Ａにおいて、音場補正完了信号を受信すると（ステップＳ３７）、音場補正が完了したことを表すメッセージを表示部３０２に表示して（ステップＳ３８）、レシーバ装置３０Ａでの処理は完了する。
【００５７】
このように、自動音場補正を持たないレシーバ装置であっても、ネットワークに繋がれている自動音場補正を有する他のレシーバ装置にスピーカ情報を送信することで、自動音場補正を行うことが可能となる。
【００５８】
なお、音場を設定する手法自体は、任意である。例えば、音場補正処理を行う各レシーバ装置３０に予め図８に示すように複数組のパラメータのセットを格納しておき、指令を送信するレシーバ装置では、何れかのセットを指定すると共に補正の指示を送信する。補正対象のレシーバ装置では、指示に従って、予め記憶しているセットのうちから、指定されたものを選択して、そのパラメータ値に従って、設定を行う、というようにしてもよい。
【００５９】
また、例えば、音場補正処理を行う各レシーバ装置から指示送信用のレシーバ装置に、現在の設定パラメータを送信し、図９に示すように指示送信用のレシーバ装置の編集用の画面に受信したパラメータを表示し、この画面上でユーザが編集処理を行って、編集されたパラメータ群を元のレシーバ装置に送信して、設定するようにしてもよい。
【００６０】
また、音場補正をしたスピーカの設定を、聴取位置毎に複数記憶することができるレシーバ装置で構成されているオーディオシステムの場合は、１つのレシーバ装置から、他のレシーバ装置に記憶されている複数のスピーカの設定のうちの一つを指定して、その指定された設定に基づいて、その他のレシーバ装置の設定を行うようにしてもよい。
【００６１】
また、本実施例は、音場補正に限らず、例えば、オーディオシステムを構成する一つのレシーバ装置から、他のレシーバ装置の電源のＯＮ／ＯＦＦの設定や、音声チャンネルに接続されているスピーカのＯＮ／ＯＦＦの設定を行うようにしてもよく、設定の種類は問わない。
【００６２】
なお、本実施の形態ではオーディオシステムを構成するコンテンツ再生装置ととして、レシーバ装置を例に説明したが、これに限る物ではなく、ＣＤプレーヤー、ネットワークオーディオプレーヤー等をコンテンツ再生装置としても良い。
【００６３】
なお、本実施の形態では、コンテンツ再生システムとしてオーディオシステムを例にしたが、これに限るものではなく、ＡＶ（オーディオビジュアル）システムであっても良い。その場合はＡＶシステムを構成するコンテンツ再生装置として、映像出力機能を有するＤＶＤプレーヤ等であってもよい。
【００６４】
また、その場合はコンテンツ再生装置に接続されている表示装置の明度、彩度等を他のコンテンツ再生装置から調整できるようにコンテンツ再生装置を構成してもよい。
【図面の簡単な説明】
【００６５】
【図１】本発明の実施形態に係るオーディオシステムの構成を示す図である。
【図２】図１に示すレシーバ装置がスピーカ、マイクと共に部屋に配置されているときの構成を示す図である。
【図３】図１に示すレシーバ装置の構成を示すブロック図である。
【図４】図１に示すレシーバ装置のＲＡＭに格納されるスピーカの動作パラメータの例である。
【図５】図１のオーディオシステムを構成するレシーバ装置の一つを操作して、全てのレシーバ装置が配置されている部屋の音場補正を行う処理の内容を示すフローチャートである。
【図６】音場補正処理の内容を示すフローチャートである。
【図７】自動音場補正処理機能を有するレシーバ装置を操作して、自動音場補正処理機能を有さないレシーバ装置が配置されている部屋の音場所補正を行う処理の内容を示すフローチャートである。
【図８】各レシーバ装置に格納されるパラメータセットの例を示す図である。
【図９】パラメータ編集画面の一例を示す図である。
【符号の説明】
【００６６】
１  オーディオシステム
１０  サーバ装置
２０  ＬＡＮ
３０  レシーバ装置
【図１】
2007271802.tif 000003
【図２】
2007271802.tif 000004
【図３】
2007271802.tif 000005
【図４】
2007271802.tif 000006
【図５】
2007271802.tif 000007
【図６】
2007271802.tif 000008
【図７】
2007271802.tif 000009
【図８】
2007271802.tif 000010
【図９】
2007271802.tif 000011